(57)【特許請求の範囲】
【請求項１】
記録されている情報を機械的に読み取り可能な第１の光回折構造が形成されている領域と、記録されている情報を目視で読み取り可能な第２の光回折構造が形成されている領域とが、一つの光回折構造形成層の中で交互に連設形成され、且つ、重畳していないことを特徴とする情報記録媒体。
【請求項２】
前記第１の光回折構造が、コヒーレンス性の高い光でのみそれに記録されている情報を読取可能なホログラムである請求項１に記載の情報記録媒体。
【請求項３】
前記第２の光回折構造が、白色光の照明によりそれに記録されている情報を目視で読取可能なホログラム又は回折格子である請求項１又は２に記載の情報記録媒体。
【請求項４】
前記第１の光回折構造が形成されている領域と、前記第２の光回折構造が形成されいてる領域とが一つの光回折構造形成層の中で交互に連設形成され、且つ、同一平面にない請求項１〜３のいずれか１項に記載の情報記録媒体。
【発明の詳細な説明】
【０００１】
【産業上の利用分野】
この発明は、複数種の光回折構造の記録されている領域がそれぞれ重畳しないで形成されている情報記録媒体及びその製造方法に関するものである。
【０００２】
【従来の技術】
キャッシュカード、クレジットカード、小切手カード等のカード類、金券類、身分証明書、重要書類等のような認証とともに偽造防止を必要とする物品に対して、従来から各種の偽造防止手段が図られている。
例えば、クレジットカードにおいては、金属反射層を有するレリーフホログラムからなるレインボーホログラムが、目視によるカードの真偽判定のための認証構造としてカードの表面に設けられている。
【０００３】
ところで、このようなカードに設けられているレインボーホログラムは、光学的に複製されて偽造される恐れがあり、偽造防止手段としては、より高度な技術を要請されている。このような状況下において、特開昭５９−１５４４８２号公報では、ひとつのホログラム領域中に２種の異なるホログラムが重ならないように組み合わせて記録したホログラムを提案し、装飾性の向上などを効果に挙げている。
また、特開平２−１６５９８７号公報では、ひとつの記録領域中をＭ個の網目に分割し、この網目ひとつひとつをさらにＮ個の画素に分割し、この画素はそれぞれＮ個の図柄のそれぞれの画素を形成する、Ｎ画面切替えの回折格子について提案し、偽造防止性の向上を効果として挙げている。
この公報に記載されている発明では、もっぱら目視による真偽判定のため認証構造を対象としているが、目視による真偽判定では、類似品の見分けに熟練を要する。従って、近年の偽造防止手段は、目視による真偽判定機能はもちろん、機械によっても真偽判定できる認証構造を有することが要請されている。
【０００４】
そこで、ひとつのホログラム記録領域に、物体を撮影したホログラムと、バーコードなどの機械的に読取可能なホログラムとを多重露光により記録したホログラムがある。しかし、この多重露光の方法によると、物体を再生するホログラムの干渉縞と、バーコードを再生するホログラムの干渉縞とが、同一記録領域に混在するため、２種の干渉縞の重ね合わせにより、記録領域が光を散乱し、白く濁り、再生された物体及びバーコードの画像の質が低下してしまい、バーコードを機械で読み取ることが困難であった。
このような問題を解決するために、特開昭６３−１６８３９７号公報には、２−ステップ法によるレインボーホログラムの撮影時に用いられるスリットとして、バーコード入りのスリットを使用する発明について記載されている。この発明によると、白色光の照明により、レインボーホログラムに記録されている像が再生されることで目視による真偽判別機能を有し、レーザー光の照明により、レインボーホログラムの撮影時に使用されたスリットのバーコードを読み取ることで、機械による真偽判別機能を有するものである。
【０００５】
【解決しようとする課題】
ところで、レインボーホログラムは、ベントンの米国特許第３，６３３，９８９号公報に記載されているように、第２ステップの撮影で使用されたスリットの像を通して、ホログラムに記録されている物体の像が見れるものである。レインボーホログラムが白色光で照明されると、白色光に含まれる光の波長により、スリット像の再生位置が微妙に異なるため、広い視域が得られるとともに、再生像が虹色に見えるものである。しかし、特開昭６３−１６８３９７号公報の発明のように、バーコード入りのスリットを使用すると、バーコード入りのスリット像を通してホログラムに記録されている物体を見るため、再生像にノイズが入るとともに、視域が狭くなってしまい、また、スリット像の一部としてバーコードが存在するため、バーコードを読み取る位置が制限されてしまうという問題点があった。
【０００６】
本発明は上記の点を鑑みてなされたものであり、目視による真偽判別機能と、機械による真偽判別機能とを有する、情報記録媒体を提供することを目的とするものである。
【０００７】
【課題を解決するための手段】
上述の目的を達成するため、本発明による情報記録媒体は、記録されている情報を機械的に読み取り可能な第１の光回折構造が形成されている領域と、記録されている情報を目視で読み取り可能な第２の光回折構造が形成されている領域とが、一つの光回折構造形成層の中で交互に連設形成され、且つ、重畳していないことを特徴とするものである。
【０００８】
この場合、前記第１の光回折構造が、コヒーレンス性の高い光でのみそれに記録されている情報を読取可能なホログラムであってもよく、また、前記第２の光回折構造が、白色光の照明によりそれに記録されている情報を目視で読取可能なホログラム又は回折格子であってもよく、さらに、前記第１の光回折構造が形成されている領域と、前記第２の光回折構造が形成されいてる領域とが同一平面になくてもよい。
【００１１】
【作用】
本発明による偽造防止媒体は、機械的に読み取り可能な第１の光回折構造が形成されている領域と、目視で読み取り可能な第２の光回折構造が形成されている領域とが、重畳していないので、第１の光回折構造と第２の光回折構造との重なりによる白濁化が生じないため、機械で読み取る際の誤作動が発生しにくい。
【００１２】
前記第１の光回折構造が、コヒーレンス性の高い光でのみそれに記録されている情報を読取可能なホログラムであれば、機械的に読取可能な情報が記録されていることがわかりにくく、また、前記第２の光回折構造が、白色光の照明によりそれに記録されている情報を目視で読取可能なホログラム又は回折格子であれば、目視で認証する際に特別な装置を必要とせず、さらに、前記第１の光回折構造が形成されている領域と、前記第２の光回折構造が形成されいてる領域とが同一平面になければ、光回折構造を形成する際に、前記第１の光回折構造又は前記第２の光回折構造にかかる応力を減らすことができる。
【００１４】
【実施例】
以下、図面等を参照して、本発明による情報記録媒体の実施例について説明する。
本発明の情報記録媒体としては、例えば、バンクカード，クレジットカード，プリペイドカードなどのカード類、貨幣，株券，手形，小切手，商品券などの金券類、航空券，入場券などの切符類、身分証明書など、使用の際に真偽判定が必要とされる媒体が挙げられる。
【００１５】
図１は、本発明による情報記録媒体の１実施例であるプリペイドカード１の上面図であり、「○×カード」，「５０００円券」等の可視情報が、印刷などの適宜手段により設けられているカード基材２と、富士山の絵柄が、目視で読み取り可能な第２の光回折構造の情報として記録されている光回折構造３とから構成されている。
図２は、図１のプリペイドカード１の光回折構造３が形成されている部分の模式的な拡大断面図である。保護層３１、レリーフ層３２、反射層３３、及び、接着層３４が順次積層されてなる光回折構造３が、カード基材２上に形成されている。ここで、レリーフ層３２には、機械的に読み取り可能な情報が記録されている第１の光回折構造４１と、図１で富士山の絵柄として表現されている目視で読み取り可能な情報が記録されている第２の光回折構造４２とが形成されている。
【００１６】
保護層３１は、レリーフ層３２の表面を、傷や汚れから守るために形成されるものであり、下層に光回折構造が形成されているレリーフ層３２が存在することから、光透過性の透明材料により形成される。例えば、メチルメタクリレート等のアクリル樹脂に代表される合成樹脂を０．５〜３μｍ程度の厚さにコーティングして硬化させたものや、２０〜１００μｍ程度の厚さのポリエチレンテレフタレートフィルム等の合成樹脂フィルムを用いることができる。レリーフ層３２自体が強固な材料から構成されている場合、保護層３１を設ける必要はない。
【００１７】
レリーフ層３２は、ウレタンアクリレートやメラミンアクリレート等の電子線または紫外線硬化性樹脂，メチルメタクリレート等の熱硬化性樹脂などの電離放射線硬化性樹脂や、塩化ビニルなどの熱可塑性樹脂など凹凸を付型可能な樹脂を用いることができ、１〜１００μｍ程度の厚さに形成して用いることができ、第１の光回折構造４１の形成されている領域と第２の光回折構造４２の形成されている領域との高低差以上の厚みを有することが好ましい。耐熱性や耐候性などの点から、電離放射線硬化性樹脂の使用が好ましい。
この実施例においては、レリーフ層３２には、回折方向の異なる第１の光回折構造４１と第２の光回折構造４２とが凹凸形状として形成されているが、凹凸形状の光回折構造の他に、フォトポリマー等を用いたリップマンホログラムなどの体積ホログラムや、銀塩感光材料を用いた振幅ホログラムなどを使用することもできる。
特に、体積ホログラムの場合には、記録材料の厚み方向に干渉縞が形成されており、圧力が加わることにより、干渉縞の間隔が部分的に収縮してしまい、設計どおりの波長光による再生像が得られなくなってしまうため、１つの記録材料の記録領域を複数に分けて、複数の体積ホログラムを記録する場合などに、記録領域に高低差を設けることが望ましい。
【００１８】
第１の光回折構造４１は、バーコードやビット情報など機械的に読み取り可能な情報が、ホログラムの物体像や回折格子の形成領域として記録されている。ホログラムは白色光で再生可能なレインボーホログラムなどを用いることができるが、偽造防止の点から、白色光下では物体像が認識困難であり、コヒーレンス性の高い光、例えば、レーザー光などによる再生像のみが認識可能なフレネルホログラムやフーリエ変換ホログラムを用いることが望ましい。
第２の光回折構造４２は、記録されている情報を目視で読み取り可能な光回折構造であり、３次元物体や２次元物体が記録されているホログラムや、形成されている領域で２次元パターンを表す回折格子などを用いることができるが、目視で真偽判別する際に、レーザー光源などの特別の装置を使用しないですむ、白色光で再生可能なホログラム、例えば、レインボーホログラムの原理を用いたイメージプレーンホログラムやホログラフィックステレオグラム、さらには回折格子などが望ましい。
【００１９】
図２の例において、第１の光回折構造４１の形成されている領域の面積と、第２の光回折構造４２の形成されている領域の面積との比率が、２：３になるように、網点からなるマスクを用いて光回折構造が形成されている。このように、占有する面積の比率をコントロールすることで、光回折構造からの回折光の明るさの比率を制御することができる。例えば、面積の比率を２：３とした場合、明るさの比率も実質的に２：３となる。
【００２０】
また、第１の光回折構造４１は、図中の面Ａに沿って形成されており、また、第２の光回折構造４２は、図中の面Ｂに沿って形成されている。このように、第１の光回折構造４１と第２の光回折構造４２とを異なる面に形成することにより、カード基材２に光回折構造３が形成される場合、例えば、ホットスタンプ方式や、ラベル方式などで光回折構造にかかる圧力を、第１の光回折構造４１又は第２の光回折構造４２の片方に集中させることができる。
例えば、図２の実施例において、レリーフ層３２の材料として紫外線硬化性樹脂を、接着層３４の材料として塩化ビニル樹脂と酢酸ビニル樹脂との混合物である場合、レリーフ層３２に比べて、接着層３４は柔軟度が大きいため、充分な接着層３４の厚さを有する第１の光回折構造４１の形成されている部分は、接着層３４によって圧力が吸収されるが、第１の光回折構造４１に比べて、少ない接着層３４の厚さしかない第２の光回折構造４２の形成されている部分は、接着層３４によって圧力が充分に吸収されず、第２の光回折構造４２が多少の損傷を被ってしまう。しかしながら、第１の光回折構造４１が機械的に読み取る情報が記録されているため、再生条件が厳格であるのに対して、第２の光回折構造４２は、目視で真偽判定するための情報が記録されているに止まるため、多少の損傷を被った第２の光回折構造４２であっても、その損傷が再生像に与える影響を目視によって判別することは非常に困難であり、記録されている情報を機械的に読み取り可能な第１の光回折構造４１を保護することを目的として、このような構成を採用することはとても有用である。
【００２１】
次に、本発明の製造方法について説明する。
図３（ａ）に示すように、目視により判別できる情報である第２の光回折構造４２が凹凸模様として設けられている基板５１にポジ型フォトレジスト又はネガ型フォトレジストを形成している。
基板５１は、ガラス基板に感光材料を塗布乾燥させ、その感光材料にレインボーホログラムや回折格子を記録現像して、表面凹凸模様とした原版を使用することもでき、また、前記原版から、メッキやエンボスなどの工程を経て金属板や合成樹脂板などへの、表面凹凸模様の複製物を用いることもできる。予め汎用の光回折構造が表面凹凸模様として形成されている複製物を複数用意しておくことにより、工程数を省略でき、短納期化が可能となる。
【００２２】
図３（ｂ）には、図３（ａ）の感光材料５２に機械的に読み取り可能な情報である第１の光回折構造４１が凹凸模様として記録する工程を示している。
機械的に読み取り可能な情報の記録としては、機械読取用のバーコードが光透過領域として記録されているマスク（図示せず）に、光散乱板を重ねたものを被写体として、レーザー光源からの光のうち、前記マスクの光透過領域と光散乱板を透過してきた光が物体光５３とし、また、参照光５４は、物体光５３と可干渉である光が用いられる。一般的には、１つのレーザー光源からの光を、ハーフミラーを用いて２光束に分割し、一方を物体光５３とし、他方を参照光５４としている。物体光５３と参照光５４とは、再生時の照明光源の位置と再生像の位置とが重ならないように、所定の角度で交差させて感光材料５２上で干渉縞を発生させ、感光材料５２は、その干渉縞を記録する。
【００２３】
図３（ｃ）は、図３（ｂ）で干渉縞が記録された感光材料５２に対し、さらに部分的に紫外線５６で露光を行う工程を示している。
図中のマスク５５は、部分的に紫外線５６を透過する開口を持つものであり、感光材料５２に密着して配置されている。感光材料５２は、マスク５５の開口を透過した紫外線５６により、マスク５５の開口とほぼ同一形状に露光される。ポジ型フォトレジストの感光材料５２であれば、露光された部分の感光材料が、後の現像処理でおいて洗い流されるため、マスク５５の開口に相当する部分の下層の第２の光回折構造４２が現出し、残りの部分に第１の光回折構造４１が形成される。また、感光材料５２がネガ型フォトレジストであれば、その逆に、マスク５５の開口に相当する部分に第１の光回折構造４１が形成され、残りの部分に第２の光回折構造４２が形成される。
【００２４】
図３（ｄ）は、図３（ｃ）で、部分的に紫外線５５で露光された感光材料５２を現像処理した後の状態を示している。
現像処理された感光材料５２は、図３（ｂ）の工程で記録されたバーコードの情報を含む物体光５３と参照光５４との交差によって発生する干渉縞からなる機械的に読み取り可能な情報と、図３（ｃ）の工程で露光されたマスク５５の開口の情報とを含んでいる。第２の光回折構造４２が表面に形成されている基板５１のマスク５５の開口に相当する部分に、第１の光回折構造４１が表面に形成されている感光材料５２が設けられている。第１の光回折構造４１の形成されている面と、第２の光回折構造４２の形成されている面との高低差は、図３（ａ）の高低で塗布する感光材料５２の塗布厚みによるものである。この高低差は、第２の光回折構造４２の凹凸模様が第１の光回折構造４１の凹凸模様に影響を与えない程度の厚みが最低限必要であり、光回折構造の凹凸模様の凸部と凹部との差が、一般的に０．０５μｍ〜０．５μｍであることから、０．０５μｍ以上であることが、光回折構造が凹凸模様である場合には必要となる。また、前述の高低差が大きすぎると、斜めからの照明光が、第１の光回折構造４１が形成されている感光材料５２に遮られ、第２の光回折構造４２に届かなくなり、第２の光回折構造４２による回折効率が非常に低下してしまうことから、第２の光回折構造４２の１画素の大きさ程度が上限となり、例えば、第２の光回折構造４２の形成されている領域の１つが、５０μｍ角の正方形からなる画素であれば、高低差が５０μｍ以下であることが望ましい。
【００２５】
図３（ｅ）は、図３（ｄ）で、現像された光回折構造から複製品５７を作成している工程を示している。
現像された光回折構造は、このままでは、感光材料５２が残っており不安定で、エンボス用の版として使用ことができず、また、この現像された光回折構造によりエンボスを行うと、光回折構造の凹凸が逆にエンボスされてしまうため、現像された光回折構造から複製物５７を作成する。複製物５７の作成方法としては、現像された光回折構造に導電性金属を蒸着して導電性を持たせた後、ニッケル等によりめっきして厚みを持たせて、現像された光回折構造から剥離して作成してもよく、また、複数の複製工程を経るなどして樹脂による複製品５７としてもよい。複製品５７はいずれも、さらに複製物を作成するための版として用いられるものであり、カード基材等に直接エンボスする場合に用いられるのであれば、複製品５７の光回折構造の凹凸が、本来の光回折構造の凹凸と逆に形成されている。しかしながら、後述するように、光回折構造の凹凸の保護性の高い、転写シートやラベルを作成する場合には、複製品５７の光回折構造の凹凸が、本来の光回折構造の凹凸と同じに形成されている。
複製品５７は、熱可塑性樹脂などにエンボスすることにより複製物を作成するための複製品５７であれば、耐熱性および耐圧性の高いニッケルなどの金属により形成されていることが好ましく、また、紫外線硬化性樹脂などを使用して成形する場合の版として複製品５７を使用するのであれば、取扱の容易さや、光透過性を有する特性から、樹脂により形成されていることが望ましい。
【００２６】
次に、図３の工程で作成された複製品５７を用いた、本発明の実施例である光回折構造を有する転写シートの作成方法について、図４で説明する。
図４（ａ）には、ポリエチレンテレフタレートフィルムなどの合成樹脂からなる支持体６１、アクリル樹脂などの支持体と剥離性を有する保護層６２、メチルメタクリレート樹脂などを主成分とする熱可塑性樹脂からなるレリーフ層６３が順次積層された積層体が示されている。この積層体を加熱し、レリーフ層６３側に、図示のように、複製品５７を矢印の方向から圧力を加えることにより、レリーフ層６３に本発明の光回折構造を形成するものであり、光回折構造が形成された積層体を図４（ｂ）に示す。
次いで、図４（ｃ）に示すように、この積層体のレリーフ層６３側に、アルミニウムや酸化チタンなどを真空蒸着することで反射層６４、さらに、アクリル樹脂を主成分とする感熱接着剤をコーティングして感熱接着層６５を形成して、転写シートを作成する。
このように作成された転写シートは、図４（ｄ）のように、転写シートと被転写体６６とを密着させて、ホットスタンパー（図示せず）により部分的に加熱加圧する。この加熱加圧された部分は、カード等の被転写体６６に転写され、加熱加圧されなかった部分は、転写シートの支持体６１側に残って被転写体から剥離される。
【００２７】
また、図３の工程で作成された複製品５７を用いて、図４の方法と同様に、本発明の実施例である光回折構造を有するラベルを作成してもよい。この場合、図４において、転写シートと異なりラベルであるため、支持体と剥離性を有する保護層６２を省略し、感熱接着層６５に代えて、塩化ビニル酢酸ビニル共重合体を主成分とする粘着剤による粘着層を設け、この粘着層の露出している表面に、表面がシリコンなどより離型処理されている離型シートを積層し、ラベルの使用の際に、この離型シートを剥離して、圧力により被貼着体に貼着するようにすることができる。
【００２８】
次に、本発明による情報記録媒体の読み取り方法について説明する。
図５は、図１に示されている情報記録媒体の読み取り方法に関するものであり、カード基材２の表面に形成されている光回折構造３に、半導体レーザー７１を光源として、コヒーレント光からなる照明ビーム７２を照射している。このように、コヒーレント光で照明された光回折構造３は、機械的に読み取り可能な情報であるバーコード像７３を再生するとともに、目視で読み取り可能な情報であるレインボーホログラムの撮影時に使用されたスリット像７４をも再生する。このスリット像７４は、照明光源が単色光である半導体レーザー７１であるため、明確に再生されるが、目視で読み取る際のように、白色光などの多波長光下においては、光の回折による波長分散が行われ、スリット像７４の再生は不明確になり、スリット像内に記録されている物体（被写体）の像をみることができるものである。一方、バーコード像７３は、ホログラムの冗長性により、第１の光回折構造が記録されている領域であればどの領域であっても、コヒーレント光により照明されれば、図のようなバーコード像７３を再生する。また、白色光下においては、スリット像７４と同様に、光の回折による波長分散のため、各波長の光によりそれぞれバーコード像がずれた位置に再生され、目視によってバーコード像７３を認識することが困難であり、バーコード像７３が隠蔽された状態となる。
【００２９】
このバーコード像７３の読み取り方法は、バーコード像７３が再生される位置に、バーコード像７３の各バーと直交する方向のバーコード像７３の長さよりも長いラインセンサー（図示せず）を設けることに読み取ることができ、電気信号に変換することができる。また、単一のフォトセンサー（図示せず）を用いる場合には、バーコード像７３が再生される位置にセンサーを設置し、各バーと直交する方向カードを移動させれば、ホログラムの冗長性により、バーコード像７３を時間的な電気信号として読み取ることができる。センサーにより読み取られたバーコード像７３の情報は、演算処理を行って、予め読み取り装置に記憶されている値との比較により、カードの真贋を判定することができるものである。
【００３０】
本発明による情報記録媒体は、前述の構成の他、種々の変形が可能であり、例えば、１種類の目視で読み取り可能な情報と、１種類の機械的に読み取り可能な情報とが、それぞれ領域が重ならないように形成されていた場合に、偽造者とって、目視で読み取り可能な情報が記録されている領域以外の領域に、何らかの情報が記録されていると気づかれる可能性が大きいのに対して、２種類以上の目視で読み取り可能な情報と、機械的に読み取り可能な情報とを各領域が重ならないように形成することによって、偽造者に対し、第１の目視で読み取り可能な情報が記録されている領域以外の領域には、第２の目視で読み取り可能な情報が記録されていると思わせることができ、より偽造防止効果の高い情報記録媒体を得ることができる。
【００３１】
また、第１の光回折構造の形成されている領域が、光回折構造の全面に渡って、ほぼ均一に分散されいる網点かけの領域であってもよく、このように網点状形成することにより、光回折構造のどの領域をコヒーレント光で照明しても、第１の光回折構造に記録されている情報を読みだすことができ、第１の光回折構造と第２の光回折構造とが、光回折構造のほぼ全面に渡って形成されたいれば、加圧時などに応力を分散することができる。
さらに、図１の光回折構造３において、回折格子で富士山の絵柄を形成している第２の光回折構造の領域に対し、富士山の背景である空の部分の領域に第１の光回折構造を形成するというように、第１の光回折構造の形成されている領域が、第２の光回折構造により形成されている絵柄の一部分を担っていてもよく、このような領域に第１の光回折構造を記録すると、違和感が少なく、また、第１の光回折構造自体を発見されにくくするという効果がある。
さらにまた、第１の光回折構造の形成されている領域が、回折格子で絵柄を形成している第２の光回折構造の領域に囲まれた領域としてもよく、このような領域に第１の光回折構造を記録すると、白色光下では、第２の光回折構造による回折光の強度が、第１の光回折構造による回折光の強度を大幅に上回るため、違和感が少なく、また、第１の光回折構造自体を発見されにくくするという効果がある。
【００３２】
図３において、感光材料５２を部分的に紫外線５６で露光する際に用いるマスク５５が、印刷等で用いられる一般的な網点でもよく、また、網点１つ１つが星型やハート型、文字や記号というようにデザインされていてもよい。このようにデザインされた網点を作成することは、網点１つ１つが極微細なことから非常に困難であり、偽造防止効果が増大する。また、グラデーションのように、網点の面積比率も徐々に連続てきに変化させれば、より偽造防止効果が増大し、また、幾何学模様のように、全く不連続のものでもよい。
【００３３】
〔好適な実施例〕
以下に、本発明の情報記録媒体の好適な製造方法について説明する。
厚さ２μｍのガラス板上に、ポジ型フォトレジストをスピンナーコートにより厚さ１〜３μｍに塗布乾燥し感光板を作成する。Ａｒレーザー（波長４８８ｎｍ）からの光をハーフミラーにより２光束に分割し、片方の光束を３次元物体が記録されたスリット状のホログラムを透過させて、物体光とする。他方の光束を参照光とする。この物体光と参照光とを感光板上で交差させて干渉縞を発生させ、この干渉縞をフォトレジストに記録し、現像して、干渉縞が凹凸模様として記録されている基板を作成する。
この基板上に、ポジ型フォトレジストをスピンナーコートにより厚さ１〜３μｍに塗布乾燥して感光材料を作成する。Ａｒレーザー（波長４８８ｎｍ）からの光をハーフミラーにより２光束に分割する。機械的に読み取り可能な情報としてのバーコードが、光透過部分として形成されているマスクと、半透明のオパールガラスからなる光散乱板を積層させたものを用意し、前記２光束の片方の光束をマスクと光散乱板との積層体に照射し、その透過光を物体光とする。下方の光束を参照光とする。この物体光と参照光とを感光板上で交差させて干渉縞を発生させ、この干渉縞を感光材料に記録する。
次に、約５０％の網点が形成されているマスクを、前記感光材料に密着させ、波長４８８ｎｍの光で、１Ｗ／ｃｍ２  、１０秒間感光材料に照射した後、マスクを感光材料から剥離して、感光材料を２５℃、１分間の条件で現像し、基板の感光材料表面パターンを複数回複製して、ニッケルからなるスタンパーを作成した。一方、支持体として厚さ５０μｍのポリエチレンテレフタレートフィルムに、転写後に保護層となるメチルメタクリレート樹脂を厚さ１μ程度にコーティングし、保護層上に、スタンパーから表面パターンを受容するアクリル樹脂からなるレリーフ層を厚さ３μｍ程度にコーティングし、さらに、レリーフ層の露出している表面に反射層として４００Å程度の厚さにアルミニウムを真空蒸着した積層体を準備した。
１４０℃、０．５秒間の熱圧力条件下で、この積層体の反射層側とスタンパーとを対接させ、スタンパーの表面パターンを積層体の反射層側に転写した。さらに、積層体の反射層側に、塩化ビニル樹脂と酢酸ビニル樹脂との混合物からなる感熱接着剤を厚さ３μｍ程度にコーティングして感熱接着層を形成し、前記積層体を転写箔状にした。
この転写箔の感熱接着層表面と厚さ０．３ｍｍ程度のポリエチレンテレフタレートからなるカード基材とを重ね合わせて、転写箔の支持体側から加熱加圧して、加熱加圧した部分の保護層、レリーフ層、反射層、感熱接着層をカード基材上に形成して、情報記録媒体を作成した。
この情報記録媒体を白色光下で観察すると、虹色の前記３次元物体の像を見ることができ、また、半導体レーザーを用いて照明すると、前記バーコードの像を見ることができた。しかも、表面形状検査装置により反射層の表面状態を計測すると、図６のように、第１の光回折構造４１の部分は圧力による影響を殆ど受けていないのに対し、第２の光回折構造４２の部分は圧力による影響がその高低差として現れていることがわかった。なお、図６中の目盛りは相対値である。
【００３４】
【発明の効果】
本発明による偽造防止媒体は、機械的に読み取り可能な第１の光回折構造が形成されている領域と、目視で読み取り可能な第２の光回折構造が形成されている領域とが、一つの光回折構造形成層の中で交互に連設形成され、且つ、重畳していないので、第１の光回折構造と第２の光回折構造との重なりによる白濁化が生じないため、機械で読み取る際の誤作動が発生しにくく、正確な真贋判定を行うことができるとともに、目視でも綺麗な画像を読み取ることができる。
【図面の簡単な説明】
【図１】本発明による情報記録媒体の１実施例の上面図である。
【図２】図１の実施例の光回折構造の形成部分の模式的な拡大断面図である。
【図３】本発明による情報記録媒体の製造方法の１実施例を示す図である。
【図４】本発明による情報記録媒体を有する転写シートの製造方法の１実施例を示す図である。
【図５】図１に示す本発明による情報記録媒体の１実施例の読み取り方法の説明図である。
【図６】好適な実施例において製造された情報記録媒体の反射層の表面状態の測定結果を示す図である。
【符号の説明】
１  プリペイドカード
２  カード基材
３  光回折構造
３１  保護層
３２  光回折構造形成層
３３  反射層
３４  接着層
４１  第１の光回折構造
４２  第２の光回折構造
【図１】
0003563774.tif 000002
【図２】
0003563774.tif 000003
【図３】
0003563774.tif 000004
【図４】
0003563774.tif 000005
【図５】
0003563774.tif 000006
【図６】
0003563774.tif 000007